(57)【特許請求の範囲】
【請求項１】
真空バルブの可動軸に揺動レバーを介して一端が連結された連結リンクと、この連結リンクの他端に片側が連結されかつローラが設けられ他側が操作軸に支持された主リンクと、この主リンクの前記片側に一端が連結され投入用カムの外周を転動するローラが他端に設けられた直動リンクと、前記投入用カムの回転で蓄勢され放勢により前記投入用カムを駆動し前記直動リンク及び前記連結リンクを介して前駆真空バルブを投入する投入ばねと、一端が前記直動リンクの片側に連結され前記投入ばねの放勢により蓄勢され放勢により前記連結リンクを介して前記真空バルブを開極する開路ばねと、中間部が支軸により回転可能に支持され一端が前記主リンクのローラと接触する引外しキャッチと、前記真空バルブが投入された位置に前記主リンクが停止するように前記引外しキャッチの回転を停止する引外し軸と、前記投入用カムを駆動し前記投入ばねを蓄勢する駆動部とを備えた真空遮断器の操作機構。
【請求項２】
片方向の回転で鎖錠状態となり他方向の回転で解錠状態となるクラッチを前記投入用カムのカム軸に嵌合し、前記駆動部の駆動力を前記クラッチを介して前記カム軸に伝達する受動部を前記クラッチに連結したことを特徴とする請求項１に記載の真空遮断器の操作機構。
【請求項３】
前記連結リンクと前記直動リンクの両端の連結部をほぼ直線となるように配置したことを特徴とする請求項１又は請求項２のいずれかに記載の真空遮断器の操作機構。
【請求項４】
前記受動部を前記クラッチに内周が遊嵌する平歯車とし、この平歯車に突設されたキャッチピンが遊嵌する溝部が外周に形成された蓄勢用キャッチを介して前記平歯車を前記クラッチに連結したことを特徴とする請求項１乃至請求項３のいずれかに記載の真空遮断器の操作機構。
【請求項５】
前記主軸が貫挿され前記投入ばね及び前記開路ばねの片側と前記駆動部を固定する一対の取付板を設けたことを特徴とする請求項１乃至請求項４のいずれかに記載の真空遮断器の操作機構。
【発明の詳細な説明】
【０００１】
【発明の属する技術分野】
本発明は、真空遮断器の操作機構に関する。
【０００２】
【従来の技術】
従来の真空遮断器の操作機構として、発明者らは先に特開平７−２４５０４６号公報で開示した。
この発明は、従来から用いられてきた圧縮空気や電動機による操作機構が大形であるために、投入時における真空バルブの接点のバウンド現象の解消と小形化のためになされたものである。
【０００３】
【発明が解決しようとする課題】
一方、操作機構が投入側にある場合でも、万一、投入時に回路に事故があった場合には速やかに遮断するために、自由に引外しできる引外し自由機構を従来の操作機構では備えているが、ユーザによっては、この引外し自由機構を要求しない場合もある。
【０００４】
ところが、従来の真空遮断器の操作機構においては、リンクの数とこのリンクを連結するピンなどの数も増えるので、真空遮断器の操作機構の小形化，簡素化と長寿命化を図るうえでの障害となる。
そこで、本発明の目的は、更なる小形化を図ることのできる真空遮断器の操作機構を得ることである。
【０００５】
【課題を解決するための手段】
請求項１に記載の発明の真空遮断器の操作機構は、真空バルブの可動軸に揺動レバーを介して一端が連結された連結リンクの他端に対して、他側が操作軸に支持され、ローラが設けられた主リンクの片側を連結し、この主リンクの片側に対して投入用カムの外周を転動するローラが他端に設けられた直動リンクの一端を連結するとともに、投入用カムの回転で蓄勢され放勢により投入用カムを駆動し直動リンク及び連結リンクを介して真空バルブを投入する投入ばねと、一端が直動リンクの片側に連結され投入ばねの放勢により蓄勢され放勢により連結リンクを介して真空バルブを開極する開路ばねと、中間部が支軸により回転可能に支持され一端が前記主リンクのローラと接触する引外しキャッチと、真空バルブが投入された位置に主リンクが停止するように引外しキャッチの回転を停止する引外し軸と、投入用カムを駆動し投入ばねを蓄勢する駆動部とを備えたことを特徴とする。
【０００６】
また、請求項２に記載の発明の真空遮断器の操作機構は、片方向の回転で鎖錠状態となり他方向の回転で解錠状態となるクラッチを投入用カムのカム軸に嵌合し、駆動部の駆動力をクラッチを介してカム軸に伝達する受動部をクラッチに連結したことを特徴とする。
【０００７】
また、請求項３に記載の発明の真空遮断器の操作機構は、連結リンクと直動リンクの両端の連結部をほぼ直線となるように配置したことを特徴とする。
【０００８】
また、請求項４に記載の発明の真空遮断器の操作機構は、受動部をクラッチに内周が遊嵌する平歯車とし、この平歯車に突設されたキャッチピンが遊嵌する溝部が外周に形成された蓄勢用キャッチを介して平歯車をクラッチに連結したことを特徴とする。
【０００９】
さらに、請求項５に記載の発明の真空遮断器の操作機構は、主軸が貫挿され投入ばね及び開路ばねの片側と駆動部を固定する一対の取付板を設けたことを特徴とする。
【００１０】
このような手段によって、本発明では、投入用カムの動作を揺動レバーに伝達するリンクの数とこれらのリンクを連結する連結軸を減らす。
【００１１】
【発明の実施の形態】
以下、本発明の真空遮断器の操作機構の一実施形態を図面を参照して説明する。
図１は、本発明の真空遮断器の操作機構の一実施形態を示す正面図、図２は、図１の右側面図で、真空バルブが開極状態で投入ばねが蓄勢される前の状態を示す図、図３は、図１の投入カムの周辺を示す部分拡大詳細図である。
【００１２】
図１，図２及び図３において、図示しない真空遮断器の中央やや右側に相対して縦設された鋼板製の側板１Ａ，１Ｂは、上部と中間部が間隔棒１ａを介して両側からボルトで互いに固定され、下端は図示しない平面図においては長方形の間隔板１ｂで互いに固定されている。
【００１３】
これらの側板１Ａ，１Ｂは、下端が間隔板１ｂを介して真空遮断器の主枠に下端が固定され、上部の片側も真空遮断器の主枠に固定されている。
このうち、左側の側板１Ａの上端左側面には、後述する投入ばねを伸長させて蓄勢する減速機付の電動機２が取付板２ｃを介して取り付けられ、この電動機２の出力軸には、破線で示す小径の平歯車２ｂがキーを介して圧入されている。
【００１４】
側板１Ａ，１Ｂの下部には、これらの側板１Ａ，１Ｂに取り付けられた軸受１ｃを操作軸３が横に貫通し、両端が真空遮断器の主枠に軸受を介して支持されている。
【００１５】
側板１Ａ，１Ｂの上部には、カム軸４が横に貫設され、このカム軸４の両端は、側板１Ａ，１Ｂに挿入され詳細を図３で示す軸受１０で以下説明するように支持されている。
【００１６】
カム軸４には、投入用のカム７が図３で示すキー７ａを介して中央部に圧入され、このカム７の両側に対して、回転方向によってカム軸４とロックするローラクラッチ９が内周に圧入されたブロック８Ａ，８Ｂが挿入されている。
【００１７】
これらのブロック８Ａ，８Ｂは、外側に形成された小径の段付部８ａが、前述した軸受１０の内周を貫通して、側板１Ａ，１Ｂの外側に突き出ている。
このうち、ブロック８Ａの左側の段付部８ａには、大径で環状の平歯車１１が挿入され、この平歯車１１の上端は、前述した小径の平歯車２ｂと噛み合っている。
【００１８】
この平歯車１１の更に左側面には、図１の部分左側面図を示す図４で後述する略Ｄ字状の蓄勢用キャッチ１２が、図３の破線及び図４（ａ）で示す３本のボルトで同一軸心線上に固定されている。
【００１９】
この蓄勢用キャッチ１２と平歯車１１との間には、僅かな間隙が形成されている。この蓄勢用キャッチ１２には、Ｕ字状の溝が図４（ａ）で示すように外周に形成され、この溝には、図３及び図４（ａ）において平歯車１１の上部の左側面に突設されたキャッチピン１１ａが遊嵌している。
【００２０】
蓄勢用キャッチ１２の前面に形成された平坦部には、短冊状の板ばね１２ａが垂設され、一対のボルトで上部が固定されている。この板ばね１２ａの下部裏面は、図３及び図４（ａ）に示すように、平歯車１１の下部左側面に突設されたピン１１ｂの前面に接触している。
【００２１】
右側のブロック８Ｂの段付部には、手動蓄勢用ハンドル１３の上端の基部１４がボルトで固定されている。この手動蓄勢用ハンドル１３の基部１４の更に右側には、図７〜図１０の鎖線で示す放蓄用カム１５が図３で示すキー１５ｂを介して圧入され、この放蓄用カム１５のボス部１５ｃの上部の右側面には、投入ばね掛け１５ａが突設されている。
【００２２】
この投入ばね掛け１５ａには、図１の鎖線と図２の実線で示す投入ばね１６の上端のフック部１６ａが挿入され、図１及び図３で示すばねピンで固定されている。投入ばね１６の下端のフック部は、図２で示す側板１Ａ，１Ｂの下端後部に貫設された支軸１７に支持されている。
【００２３】
側板１Ｂの右側の上部には、図２に示す表示部２９ａが前端に垂設された鋼板製の放蓄表示器２９が設けられ、この放蓄表示器は、後端が側板１Ｂに貫設されたピン２９ｄを介して揺動自在に支持されている。放蓄表示器２９の中間部には、ピン２９ｂが貫挿され、このピン２９ｂにはローラ２９ｃが挿入され、このローラ２９ｃは、図２においては放蓄表示用カム３２の上端面に接触している。
【００２４】
放蓄表示器２９の後部の上端面には、帯板状の板ばね３０の後部がボルトで固定され、この板ばね３０の前端の上面は、側板１Ｂの上部中央から右側に突設されたピン３０ａの下面に当接して押圧され、この反力でローラ２９ｃは放蓄表示用カム３２に押圧されている。
【００２５】
放蓄表示器２９の更に上方には、後述するリミットスイッチ３１が側板１Ｂに固定され、このリミットスイッチ３１の接触片３１ａの先端のローラは、図２においては放蓄表示器２９の上面に接触して接触片が撓み、リミットスイッチ３１はオンの状態にある。
【００２６】
投入用カム７の下部の前方には、支持ピン１８が側板１Ａ，１Ｂに貫設され、図示しない軸受を介して支持されている。この支持ピン１８には、図１においてはＵ字状に形成された補助リンク１９の前端が挿入され溶接されている。
【００２７】
この補助リンク１９の後部には、ピン１９ｂが貫挿され、このピン１９には、ローラフォロア１９ａが補助リンク１９の間に挿入されている。このローラフォロア１９ａの上面は、前述した投入用カム７の下端面と僅かな間隙で対置している。
【００２８】
ピン１９ｂには、ローラフォロア１９ａの外側に対して、図示しない平面図ではＵ字状に形成され側板１Ａ，１Ｂの間に縦に収納された直動リンク２０の上端が連結されている。
【００２９】
補助リンク１９の下側には、四角棒から製作された位置決め用のストッパ２７が水平に設けられ側板１Ａ，１Ｂに両端が挿入され固定されている。このストッパ２７の下側に貫設された前述した操作軸３には、一対の主リンク２１の前端が溶接されている。
【００３０】
この主リンク２１の中間やや後部には、ピン２０ａが貫挿され、このピン２０ａには、前述した直動リンク２０の下端及びこの下側に縦設された後述する連結リンク２２の上端と連結ロッド２４の上端が図２に示すように嵌合している。
【００３１】
ピン２０ａには、図２で示す伸長状態の開路ばね２８の下端が係止され、この開路ばね２８の上端のフック部は、側板１Ａ，１Ｂに貫設された図示しない支軸に係止されている。
【００３２】
主リンク２１の上端面は、伸長した開路ばね２８の復帰力によって、ストッパ２７の下面に図２に示すように押圧されている。主リンク２１の後端には、ローラフォロア２１ａがピン２１ｂを介して組み込まれている。
【００３３】
側板１Ａ、１Ｂの下部には、支持ピン23ａが操作軸３の下側に図示しない軸受を介して貫設され、この支持ピン23ａには、前端に表示部23ｂが垂設された鋼板製の入切表示器23の中間部が挿入され溶接されている。
【００３４】
この入切表示器２３の後端には、前述した連結リンク２２の下端がピン２２ａを介して連結されている。前述した連結ロッド２４の下端は、真空遮断器の主枠の下部に支軸５を介して設けられた図示しない縦断面図ではＵ字状の連結レバー２５の前端にピン２５ａを介して連結されている。
【００３５】
連結レバー２５の後端には、ピン２５ｂを介して絶縁ロッド２６の下端が連結され、この絶縁ロッド２６の上端は、鎖線で示す真空バルブ６の可動側通電軸６ａに接続されている。
【００３６】
前述した補助リンク１９の後方には、支軸３３ａが側板１Ａ，１Ｂに軸受３３ｂを介して貫設され、この支軸３３ａには、投入キャッチ３３の中間部が挿入され固定されている。この投入キャッチ３３の背面下端は、側板１Ａ，１Ｂに貫設された位置決め用のストッパ軸３４ａの前面に当接している。
【００３７】
支軸３３ａには、復帰ばね３４のコイル部が遊嵌され、この復帰ばね３４の上端に形成された係止部は、投入キャッチ３３の上部の背面に係止され、復帰ばね３４の下側の端部は、前述したストッパ軸３４ａの上面に対して、復帰ばね３４の復帰力で押圧されている。
【００３８】
支軸３３ａの下側には、投入軸３６が側板１Ａ，１Ｂに軸受を介して貫設され、この投入軸３６には、中間部に対して半月部が形成され、前述した投入キャッチ３３の下端の爪部３３ｃの前面は、投入軸３６の半月部の後面上部と対置している。
【００３９】
投入軸３６の下側には、この投入軸３６とほぼ同形の引外し軸３５が半月部を下向きにして側板１Ａ，１Ｂに対して軸受を介して貫設されている。引外し軸３５の下側には、支軸３７ｂが側板１Ａ，１Ｂに軸受を介して貫設され、この支軸３７ｂには、前述した投入キャッチ３３と同形の引外しキャッチ３７の中間部が貫挿され溶接されている。
この引外しキャッチ３７の上端に弧状に形成された爪部の後部上面は、引外し軸３７ａの半月部の下面後部と接触している。
【００４０】
支軸３７ｂには、復帰ばね３９のコイル部が遊嵌され、この復帰ばね３９の一側となる後端は、側板１Ａ，１Ｂに貫設されたストッパ軸３８Ｂの前面に復帰力で接触し、復帰ばね３９の他側のフック部の下端に形成された折り曲げ部は、引外しキャッチ３７の下部後面に係止されている。
【００４１】
この結果、引外しキャッチ３７の下部前面は、この前方のローラフォロア２１ａの背面に対して、復帰ばね３９の復帰力によって押圧されている。支軸３７ｂの後方の上側には、図７〜１０で後述するストッパ軸３８Ａが側板１Ａ，１Ｂに貫設されている。図４（ｄ）〜（ｈ）は、後述する。
【００４２】
図５（ａ）は、図１，図２で前述した投入用押ボタン４０と引外し用押ボタン４１の拡大詳細図、図５（ｂ）は、図５（ａ）の左側面図で、いずれもボタンの操作前及びコイルの無励磁状態を示す。
【００４３】
図５（ａ），（ｂ）において、図１で示した投入用押ボタン４０と引外し用押ボタン４１は、側板１Ａに右端が貫挿され固定された支軸４５に対して、上下のＵ状の曲げ部４０ａ，４１ａが貫挿されて前後方向に揺動自在に支持されている。
【００４４】
曲げ部４０ａ，４１ａの側板１Ａ側の対向部には、密着巻きの復帰ばね４４の上下のフック部が係止され、この復帰ばね４４の復帰力によって、曲げ部４０ａ，４１ａの対向部は、所定の力で互いに引張られている。
【００４５】
各支軸４５の後方には、ストッパボルト４６の軸部の先端が対称的に側板１Ａに固定され、これらのストッパボルト４６の軸部は、前述した復帰ばね４４の復帰力によるモーメントによって、各曲げ部４０ａ，４１ａの後端面で押圧されている。
【００４６】
投入用押ボタン４０の後方には、投入コイル４３Ａがこの投入コイル４３Ａに挿入されたアーマチュア４３ａの先端を投入用押ボタン４０の下部後部と対置して配置され、一対のボルトで側板１Ａに固定されている。
【００４７】
同様に、引外し用押ボタン４１の後方にも、投入コイル４３Ａと同一品の引外しコイル４３Ｂが対称的に設けられ、側板１Ａに固定されている。なお、各アーマチュア４３ａ，４３ｂの上下には、これらのアーマチュア４３ａ，４３ｂの復帰ばね４３ｃが示されている。
【００４８】
側板１Ａの投入コイル４３Ａの更に後方に貫設された投入軸３６には、Ｊ字状に形成された投入レバー４２Ａの基端が固定され、この投入レバー４２Ａの上部は、投入コイル４３Ａのアーマチュア４３ａの後端と所定の間隙で対置している。
【００４９】
引外しコイル４３Ｂの更に後方に貫設された投入軸３７ａにも、投入レバー４２Ａと同一品の引外しレバー４２Ｂの基端が固定され、この引外しレバー４２Ｂの下部も、引外しコイル４３Ｂのアーマチュア４３ｂの後端と所定の間隙で対置している。
【００５０】
次に、このように構成された真空遮断器の操作機構の作用を説明する。
ここで、図３で説明したローラクラッチ９は、図２の右側から見てカム軸４を矢印Ａに示すように時計方向に回転させた場合には、解錠状態となって回転するが、逆向きの反時計方向に僅かに回転させると、カム軸４を締め付ける鎖錠状態となって、カム軸４を回転させる方向に組み込まれている。
【００５１】
まず、電動操作で投入ばね１６を蓄勢する場合には、図１の部分左側面図（但し、投入ばね１６は図２で示す状態）を示す図４（ｄ）において、電動機２で平歯車２ｂを矢印Ｂで示す時計方向へ駆動し、この平歯車２ｂと噛み合った平歯車１１を矢印Ｃで示すように反時計方向へ回転させる。
【００５２】
すると、この平歯車１１の上部左側面から突き出たキャッチピン１１ａが蓄勢用キャッチ１２の上部に形成された溝の後端に図４（ｅ）に示すように接触して、この蓄勢用キャッチ１２を反時計方向へ回転させるとともに、板ばね１２ａがピン１１ｂで押圧されて、蓄勢用キャッチ１２が更に反時計方向へ回転する。
【００５３】
この蓄勢用キャッチ１２が回転すると、ローラクラッチ９を介してカム軸４が回転し、このカム軸４に圧入された投入用カム７及び放蓄用カム１５が、投入用ばね掛け１５ａとともに図２の右側面図では矢印Ａで示す時計方向へ回転する。
【００５４】
図２の状態から時計方向へカム軸４を更に回転させ、投入ばね１６の中心線とカム軸４の中心を結ぶ線の延長線上（デッドポイント）から更にカム軸４を時計方向へ回転させると、投入ばね１６の復帰力によって投入ばね掛け１５ａは時計方向へ回転し、ローラクラッチ９は回転自在となり、カム軸４は時計方向に急速に回転し、図７に示すように、カムフォロア７ａが投入キャッチ３３の上端面に接触した位置で停止して、蓄勢完了状態となる。
【００５５】
ここで、カム軸４と一体で回転する放蓄表示器用カム１５の外周面の位置の移動に伴い、放蓄表示器２９が図７に示すように揺動し、リミットスイッチ３１の接点が開いて、電動機２は停止する。
【００５６】
但し、この電動機２は、リミットスイッチ３１が開動作した後も慣性によって回転し、ある制動時間を経て停止するので、リミットスイッチ３１が切り換った後もさらに平歯車１１を介してカム軸４を駆動して、機構部が破損するおそれがあるので、本発明では、図４（ｆ）に示す安全機構を備えている。
【００５７】
図４（ｆ）は、ばね掛け１５ａの位置が、投入ばね１６の復帰力が加えられるローラフォロア１９ａのデッドポイントのときを示し、平歯車１１は反時計方向に回転し、キャッチピン１１ａにより蓄勢用キャッチ１２を反時計方向へ回転させる。
【００５８】
このとき、ピン１１ｂに接触した板ばね１２ａは、蓄勢用キャッチ１２を時計方向へ回転させる復帰力があるが、ローラクラッチ９がロック状態であるため、単独で回転せず、平歯車１１の回転に伴って回転する。
【００５９】
図４（ｇ）は、図７と同様に蓄勢完了瞬時の状態を示し、リミットスイッチ３１の切り換わりとほぼ同時であり、投入ばね掛け１５ａがデッドポイントを越えると同時に、投入ばね１６の復帰力によってカム軸４はローラクラッチ９による鎖錠状態から解錠され、反時計方向へ回転自在となって急速に回転し、図８に示す状態となる。
【００６０】
同時に、蓄勢用キャッチ１２は、板ばね１２ａの復帰力によって反時計方向へ揺動し、キャッチピン１１ａと蓄勢用キャッチ１２の嵌合部に隙間を形成して、図４（ｈ）に示すように、リミットスイッチ３１の切換わり後の回転力をこの隙間で吸収する。
手動で蓄勢する場合は、図４（ｂ）の右側面図を示す図４（ｃ）の手動蓄勢用ハンドル１３を所定の角度と回数だけ往復揺動させることで行う。
【００６１】
次に、投入コイル又は手動による投入動作について説明する。
図５に示した投入コイル４３を励磁するか投入用押ボタン４０を操作して、投入軸３６に固定された投入レバー４２Ａを駆動し、図６（ａ）に示すように投入軸３６を反時計方向へ回転させることにより、投入動作を行う。
【００６２】
図６において、投入軸３６は、投入キャッチ３３との係合部が半月部となっているので、投入軸３６を時計方向へ僅かに回転させることにより、投入キャッチ３３は時計方向への揺動が可能となり、投入ばね１６の復帰力により図８に示すように揺動する。
【００６３】
同時に、カム軸４及び投入用カム７，投入ばね掛け１５ａ，放蓄表示器用カム３２も急速に時計方向へ回転し、投入用カム７のカム面に添ってローラフォロア１９ａと直動リンク２０を押し下げ、連結ロッド２４，連結レバー２５，絶縁ロッド２６を駆動して可動側通電軸６ａを押し上げ、真空バルブ６を投入する。
【００６４】
図８に示した投入用カム７は、このカムの外周に形成された爪部７ａが最も下位となる位置にあり、この位置で引外しキャッチ３７が復帰ばね３９の復帰力で時計方向へ揺動し、後面がストッパピン３８Ａに接触した位置で停止し、さらに投入用カム７が揺動し、引外しキャッチ３７の前面とローラフォロア２１ａが接触して投入完了となる。この投入完了状態を図９に示す。
【００６５】
投入動作に伴い、放蓄表示器２９は放蓄表示用カム３２の回転に従って動作し、リミットスイッチ３１の接点が切り換わり、入切表示器２３は直動リンク２０と連結された連結リンク２２を介して時計方向へ回転し、ローラフォロア２１ａが引外しキャッチ３７で保持される位置で停止する。
【００６６】
一方、開路ばね２８は、開路力を蓄えるために引き伸ばされ、直動リンク２０を復帰させるために蓄勢状態となる。続いて、リミットスイッチ３１が切り換わったことにより、電動操作による蓄勢動作が行われる。図９は、真空バルブが投入状態で、投入ばね１６が蓄勢動作に移行した状態を示す。
【００６７】
次に、引外し動作は、電動操作の場合を図５に対応する図６に示す引外しコイル４３Ｂを励磁する。一方、手動操作の場合には、引外し用押しボタン４１を押し、図６（ａ）に示すように反時計方向へ揺動させることにより、引外しコイル４３Ｂのアーマチュア４３ｂを介して引外しレバー４２Ｂを押し、引外し軸３７ａを時計方向へ回転させる。
【００６８】
図１０において、引外し軸３５を反時計方向に僅かに回転させることで、この引外し軸３５に形成された半月部を反時計方向へ回転させると、引外しキャッチ３７は、開路ばね２８の復帰力で反時計方向へ揺動し、補助リンク１９，直動リンク２０，主リンク２１は、図２または図７に示す初期の状態に復帰する。
【００６９】
したがって、このように構成された真空遮断器の操作機構においては、放蓄用カムの回転によって蓄勢される投入用ばね１６の放勢力を連結レバー２５に伝達して真空バルブ６を投入する連結リンクを、直動リンク２０とこの直動リンク２０の下端に上端が連結された連結ロッド２４だけで構成することができ、従来の技術で示した操作機構と比べて複雑な形状のカム板も１枚だけとなり、製作と組立が容易で連結ピンの数も減少するので、機械的寿命も増やすことができるだけでなく、小形化による収納空間の縮小化と慣性の低減化を図ることもできる。
【００７０】
以上、本発明によれば、真空バルブの可動軸に揺動レバーを介して一端が連結された連結リンクの他端に対して、他側が操作軸に支持され、ローラが設けられた主リンクの片側を連結し、この主リンクの片側に対して投入用カムの外周を転動するローラが他端に設けられた直動リンクの一端を連結し、投入用カムの回転で蓄勢され放勢により投入用カムを駆動し直動リンク及び連結リンクを介して真空バルブを投入する投入ばねと、一端が直動リンクの片側に連結され投入ばねの放勢により蓄勢され放勢により連結リンクを介して真空バルブを開極する開路ばねと、中間部が支軸により回転可能に支持され一端が前記主リンクのローラと接触する引外しキャッチと、真空バルブが投入された位置に主リンクが停止するように引外しキャッチの回転を停止する引外し軸と、投入用カムを駆動し投入ばねを蓄勢する駆動部とを備えることで、投入用カムの動作を揺動レバーに伝達するリンクの数とこれらのリンクを連結する連結軸を減らしたので、更なる小形化を図ることのできる真空遮断器の操作機構を得ることができる。
【図面の簡単な説明】
【図１】本発明の真空遮断器の操作機構の一実施形態を示す正面図。
【図２】図１の右側面図。
【図３】図１の部分拡大詳細図。
【図４】本発明の真空遮断器の操作機構の作用を示す部分縮小説明図で、（ａ）は、図１において蓄勢用キャッチ１２の左側から見た図。（ｂ）は、図３の縮小図。（ｃ）は、（ｂ）の右側面図。（ｄ）は、電動操作による投入操作の説明図で、動作前の状態を示し、（ｅ）は、同じく平歯車１１が僅かに動作した状態を示し、（ｆ）は、動作が更に進行して投入ばね１６の伸びが最長の状態を示し、（ｇ）は、更に動作して投入ばねの蓄勢完了状態を示し、（ｈ）は、蓄勢用電動機の慣性で平歯車が僅かに更に回転した状態を示す図。
【図５】（ａ）は、図１の部分拡大詳細図。（ｂ）は、（ａ）の左側面図。
【図６】本発明の真空遮断器の操作機構の作用を示す図で、（ｄ）は、投入用押ボタンを操作した状態を示し、（ｂ）は、引外し用ボタンを操作した状態を示す。
【図７】本発明の真空遮断器の操作機構の作用を示す右側面図で、図４（ｇ）に対応し、投入ばねの蓄勢完了状態を示す。
【図８】本発明の真空遮断器の操作機構の作用を示す右側面図で、真空バルブが投入された状態を示す。
【図９】本発明の真空遮断器の操作機構の作用を示す右側面図で、真空バルブが投入状態で、投入ばねが蓄勢動作に移行している状態を示す。
【図１０】本発明の真空遮断器の操作機構の作用を示す右側面図で、真空バルブが投入状態で、且つ、投入ばねの蓄勢が完了した状態を示す。
【符号の説明】
１Ａ，１Ｂ…側板、１ａ…間隔棒、１ｂ…間隔板、２…電動機、２ａ…減速機、２ｂ，１１…平歯車、３…操作軸、４…カム軸、５，１７…支軸、６…真空バルブ、７…カム、８Ａ，８Ｂ…ブロック、９…ローラクラッチ、１０…軸受、１１ａ…キャッチピン、１２…蓄勢用キャッチ、１２ａ，３０…板ばね、１３…手動蓄勢用ハンドル、１４…基部、１５…放蓄用カム、１５ａ…ばね掛け、１６…投入用ばね、１８…支持ピン、１９…補助リンク、１９ａ，２１ａ…ローラフォロア、２０…直動リンク、２１…主リンク、２２…連結リンク、２３…入切表示器、２４…連結ロッド、２５…連結レバー、２６…絶縁ロッド、２７…ストッパ、２８…開路ばね、２９…放蓄表示器、３１…リミットスイッチ、３２…放蓄表示用カム、３３…投入キャッチ、３４…復帰ばね、３５…引外し軸、３６…投入軸、３７…引外しキャッチ、３８Ａ，３８Ｂ…ストッパ軸、３９，４４…復帰ばね、４０…投入用押ボタン、４１…引外し用押ボタン、４２Ａ…投入レバー、４２Ｂ…引外しレバー、４３Ａ…投入コイル、４３Ｂ…引外しコイル、４５…支軸、４６…ストッパボルト。
【図１】
0003567054.tif 000002
【図２】
0003567054.tif 000003
【図３】
0003567054.tif 000004
【図４】
0003567054.tif 000005
【図５】
0003567054.tif 000006
【図６】
0003567054.tif 000007
【図７】
0003567054.tif 000008
【図８】
0003567054.tif 000009
【図９】
0003567054.tif 000010
【図１０】
0003567054.tif 000011